【事件の表示】
　特許第２７３１６２０号「ロータリ耕耘装置」の請求項１に係る特許に対する特許異議の申立てについて、次のとおり決定する。
【結　論】
　訂正を認める。
　特許第２７３１６２０号の請求項１に係る特許を維持する。
【理　由】
１．手続の経緯
　特許第２７３１６２０号（発明の名称「ロータリー耕耘装置」）は、平成２年４月２１日に出願され（特願平２−１０５７８６号）、同９年１２月１９日に設定登録がされたが、同１０年９月１８日に特許 異議の申立てがあり、特許庁は、これを平成１０年異議第７４６６０号として審理し、同１１年５月２７日、「特許第２７３１６２０号の特許を取り消す。」旨の決定をした。これに対する特許取消決定取消請求訴訟において、平成１２年３月１４日に上記決定を取り消す旨の判決があったので、特許庁は、同異議事件について再度審理し、その手続中に権利者は本件特許について訂正請求をした（同１２年６月２２日）が、特許庁は、同年１１月１日、「特許第２７３１６２０号の請求項１に係る特許を取り消す。」旨の決定（以下「前回決定」という。）をし、その謄本は、同年１１月２０日権利者に送達された。
　権利者は、前回決定に対する特許取消決定取消請求訴訟提起後の平成１３年９月１９日に本件特許について訂正審判を請求した（訂正２００１−３９１６７号）ところ、同年１１月２日、「特許第２７３１６２０号に係る明細書を本件審判請求書に添付された訂正明細書のとおり訂正することを認める。」との審決があり、その謄本は、同年１１月１４日、権利者に送達された。
　上記訂正審決が確定したので、前回決定を取り消す旨の判決が平成１４年２月５日に言い渡された。
　
２．本件発明
　特許第２７３１６２０号の請求項１に係る発明は、上記本件訂正審決において認められたとおり、上記平成１３年９月１９日付け訂正審判請求書に添付の訂正明細書の特許請求の範囲に記載された次のとおりのものである。
「耕耘爪を具備した耕耘カバーの後端に後部カバーを回動自在に枢支し、該後部カバーを弾圧するハンガーロッドを遠隔操作レバーの操作により係止して、後部カバーの回動を阻止可能とし、前記遠隔操作レバーの操作によりワイヤーを介して後部カバーの回動を阻止するロック装置を耕耘カバーに配設し、該ロック装置は「コ」の字形に構成されたロック金具が、ハンガーロッドをスライド自在に貫通させた枢支軸により枢支され、ハンガーロッドの上部に回動して固定される構成とし、該耕耘カバーが耕耘爪軸に対して前後に回動可能であることを特徴とするロータリ耕耘装置。」　
　
３．特許異議申立てについての判断
(3-1)証拠方法
甲第１号証：実願昭６２−１５２５９号（実開昭６３−１２２００４号）のマイクロフィルム、
甲第２号証の１：実願昭５９−６５７９０号（実開昭６０−１７７７１０号）のマイクロフィルム、
甲第２号証の２：実公昭６１−１２７２９号公報、
甲第２号証の３：実公昭５５−１１２８号公報、
甲第３号証：実願昭６２−１２４１７４号（実開昭６４−２８８０３号）のマイクロフィルム
　
　甲第１号証（実願昭６２−１５２５９号（実開昭６３−１２２００４号）のマイクロフイルム）には、次の事項が記載されている。
「ロータリー耕耘装置を一定の姿勢に維持するスタンドをリアカバーにより兼用させ、該リアカバーが接地した状態で、ハンガーロッドを機体に対して回動を阻止する係止装置を構成したことを特徴とするロータリー耕耘装置のスタンド。」（実用新案登録請求の範囲）、
「耕耘爪８の周囲を被覆する耕耘カバー９が耕耘爪軸を中心に前後に回動可能としており、該耕耘カバー９の前後回動を操作する前後回動操作レバー７と操作連結杆３が前方に向けて構成されている。」（８頁７〜１１行）、
「リアカバー２は前端を耕耘カバー９の後端に枢支軸３０により枢支しており、該枢支軸３０を中心に上下に回動するのである。
　耕耘作業中においては、該リアカバー２は耕耘土壌の表面の凹凸に応じて、上下に回動するものである。しかし常時リアカバー２により耕耘土壌の表面を均平化する為に、リアカバー２は土壌面に向けて押圧付勢されているのである。
　該土壌面に向けて押圧付勢するのが付勢バネ５１である。」（９頁２〜１１行）、
「付勢バネ５１は松葉ピン５０とハンガーロツド枢支体５３の間で上下可能とされており、また付勢バネ５２はハンガーロツド枢支体５３と松葉ピン５０（６１の誤記）の間に移動可能とされているのである。
　該ハンガーロッド枢支体５３は、ロータリー耕耘装置の機体側である耕耘カバー９より突出されているのである。
　本考案においては、リアカバー２を後方への転倒を阻止するスタンドとして兼用すべく、松葉ピン５０を上部の松葉ピン５０’の位置に挿し換え可能として、リアカバー２を後方への転倒力が働いても、該松葉ピン５０’とハンガーロッド４によりこれを阻止すべく構成したものである。」（９頁１８行〜１０頁１１行）。
　
　甲第２号証の１（実願昭５９−６５７９０号（実開昭６０−１７７７１０号）のマイクロフィルム）には、次の事項が記載されている。
「トラクタの後部に連結された代かきロータリのロータカバーの後部に均平板を上下揺動可能に取付け、その均平板に設けた上下揺動案内ロッドを、ロータリの上部に設けた支持腕に摺動可能に支持させた代かきロータリにおいて、
上記支持腕と案内ロッドとの間に、均平板を土寄せ、格納スタンド位置に固定する係止機構を設け、その係止機構を解除する解除レバーを代かきロータリの上部に設けた代かきロータリの均平板。」（実用新案登録請求の範囲）、
「土寄せ作業・・・トラクタ１の三点リンク１３・１４・１４のロアリンク１４を従来のものと同様に油圧機構（図に省略）で引上げると、ロータリ２が上昇し、均平板４は蝶番５を支点に自重で垂直方向に揺動する。上下案内ロッド７の係止凹部７ａが係止ピン９の進退方向延長上に位置したとき、解除レバー１１を第６図の進行方向後方の土寄せ位置に倒すと、係止ピン９が前進して凹部７ａに係合し、均平板４を本来の代かき位置より垂直方向に立てた第６図の状態に保持され、ロータ１５は高さｈだけ土面Ｅから浮く。
　従って均平板４を土寄せ用掻板として利用することができる。」（４頁１〜１３行）、
「３７は二又の支持腕８の内側に左右方向水平に取付けたコ字形棒で、その内部に設けた複数個の支持板３８・３９に前記の係止機構のピン９を進退自在に支持させ、ボス金具２０の孔を貫いて常に案内ロッド７に突き当るようにばね４０を設ける。そのピン９の後端を前記の解除レバー１１に可撓ワイヤ１０で連結する。その解除レバー１１は前記のようにトラクタ１に乗った操作者の手の届く位置に設けたもので、図示例はロータリ２の上部取付腕金１６に固定の筒金具４２に支持杆４３を前後動可能に取付け、その支持杆４３にレバーブラケット４４を取付けて、前後位置の調整ができるようにしたものである。４５は解除レバー１１の回動軸である。又図の場合は左右の案内ロッド７・７に対する係止ピン９・９を共通１個の解除レバー１１で２つに分岐したワイヤ１０を介して進退させる構成である。」（９頁６行〜１０頁２行）、
「本考案は前記のように均平板４の上下揺動案内ロッド７とその支持腕８との間に係止機構７ａ・７ｂ・９を設け、その係止切換で、均平板４をその本来の代かき土均らし作業状態代かきロータリ２を土寄せ作業機に利用する場合の土寄せ板、ロータリ２の格納、ロータリ２をトラクタ１に脱着する際のスタンド等に使い分けることができるようにした点を特徴効果とする。」（１０頁１１行〜１８行）。
　
　甲第２号証の２（実公昭６１−１２７２９号公報）には、次の事項が記載されている。
「ロータリ耕耘刃を覆うリヤカバーを上下方向揺動自在に設けてなる耕耘作業機において、サポートに、リヤカバーを下方に向けて加圧する加圧ロッドの挿通孔が穿設された支持部材を装着し、上記挿通孔内で上下動する加圧ロッドを挿通孔の内周面に押圧して、その上動を任意の位置で阻止する固定状態と、固定を解除する状態とに選択切換自在に構成した固定部材を設けたことを特徴とするロータリ耕耘作業機におけるリヤカバー固定装置。」（実用新案登録請求の範囲）、
「１２はリヤカバーの固定装置であって、該固定装置１２を構成する固定部材１３は支持部材９に突設されたブラケット１４に枢支ピン１４ａを介して上下方向揺動自在に枢着されている。そして、固定部材１３の基端部は連結ロッド１５を介して運転席（図示せず）より操作できる範囲内に設けた操作レバー１６に連動連結されている。一方、１７は支持部材９の上下両面部９ａ，９ｂ　に穿設した加圧ロッド７の挿入通孔であって、上面部９ｂ側の挿通孔１７下縁には下向きの切欠溝１８が刻設されてる。そして、固定部材１３の先端を上方に折曲しかつ楔形状に形成し、該先端１３ａ　が操作レバー１６の矢印Ａ方向への操作によって、上記切欠溝１８に差し込み嵌入するようになっていて、先端１３ａ　が切欠溝１８に嵌入した際には、固定部材１３の先端１３ａ　が楔作用をなし加圧ロッド７の上動を規制するようになっている。」（３欄２０〜３７行）、
「代かき時等において、高所より低所への土の移動を行わせんとする土寄せ作業をする際、強制的に耕耘土表面を削りながら均平化作業をしなければならず、この場合には耕耘土からの反力がリヤカバー６の押圧力より大きくなるが、操作レバー１６を矢印Ａ方向に操作して、固定部材１３の先端１３ａを支持部材９の上面面部９ｂの下緑に刻設された切欠溝１８に嵌入し、加圧ロッド７を挿通孔１７の内周面に押圧固定せしめて、リヤカバー６の上動を所望する位置で阻止することによって、耕耘土の堆積度合に対応して、最適な量だけ削り取りを伴った土寄せ作業をすることができる。」（４欄４〜１６行）。
　
　甲第２号証の３（実公昭５５−１１２８号公報）には、次の事項が記載されている。
「支持体１３，１３の上端の孔には軸杆２１の両端部を挿通するとともに支持体１３，１３より突出させて回動自在に支持し、その両端突出部には先端に作動杆１６のＴ形部１５と係脱する鉤部２２を設けた係合片２３基部孔を嵌合固定し、スプリング２４の一端を係合片２３の中間部突起に連結し、スプリング２４の他端を支持体１３，１３の案内体１４より下方位置に設けた突起に連結し、１側の係合片２３に操作レバー２５を固着す」（３欄９〜１７行）。
　
　甲第３号証（実開昭６４−２８８０３号公報）には、次の事項が記載されている。
「耕耘装置(1)の上部を覆う耕耘カバー(2)の耕耘軸(3)回りにおける前・後回調節によって、この耕耘カバー(2)の前端部のフロントカバー(4)を、後・前移動自在に連動構成してなる耕耘カバー。」（実用新案登録請求の範囲）。
　
(3-2)対比・判断
　本件発明と上記甲第１号証記載の発明とを対比すると、両者は「耕耘爪を具備した耕耘カバーの後端に後部カバーを回動自在に枢支し、該後部カバーを弾圧するハンガーロッドを設け、該耕耘カバーが耕耘爪軸に対して前後に回動可能であるロータリ耕耘装置」である点で一致し、前者が「後部カバーの回動を阻止するロック装置を耕耘カバーに配設し、該ロック装置は「コ」の字形に構成されたロック金具が、ハンガーロッドをスライド自在に貫通させた枢支軸により枢支され、ハンガーロッドの上部に回動して固定される構成とし」たのに対し、後者はこのような構成を有しない点で両者は相違する。
　上記相違点を検討すると、上記甲第２号証の１、甲第２号証の２は、後部カバーを弾圧するハンガーロッドにおいて、後部カバーの回動を阻止可能としたロック装置を設けることが記載され、該ロック装置がハンガーロッドを摺動自在に支持された個所に設けられているが、本件発明のように、該ロック装置は、コの字形に構成されておらず、ハンガーロッドをスライド自在に貫通させた枢支軸により枢支され、ハンガーロッドの上部に回動して固定される構成もない。また、甲第２号証の３には、後部カバーを弾圧するハンガーロッドにおいて、ハンガーロッドをスライド自在に貫通させた枢支軸（案内体１４）が設けられ、後部カバーの回動を阻止可能としたロック装置を設け、該ロック装置は操作レバー２５に設けられた鉤部２３からなるが、本件発明のように、ロック装置を耕耘カバーに配設したものではない。さらに、甲第３号証には、耕耘カバーを前後に回動可能としたことが記載されているだけであって、上記相違点についての記載はない。
　本件発明は、上記相違点により、特許明細書９頁５〜８行（特許公報５欄１３〜１６行）記載の「従来からあるロータリ耕耘装置に大きな変更を加えることなく、ロック金具２とワイヤー７と遠隔操作レバー１等を付設するだけで、ロック機構を構成することができ」るという格別の効果を奏する。
　したがって、本件発明は、その出願前に頒布された甲第１号証〜甲第３号証記載の発明に基づいて当業者が容易に発明をすることはできない。
　
(3-3)むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する
【異議決定日】
平成１１年５月２７日（１９９９．５．２７）
【訂正の要旨】
　訂正の要旨
　▲１▼．訂正事項ａ
　特許請求の範囲に記載の、
『耕耘爪を具備した耕耘カバーの後端に後部カバーを回動自在に枢支し、該耕耘カバーを弾圧するハンガーロッドを遠隔操作レバーの操作により係止して、後部カバーの回動を阻止可能とし、ロック装置を耕耘カバーの側に配設し、該耕耘カバーが耕耘爪軸に対して前後に回動可能であることを特徴とするロータリ耕耘装置。』を、特許請求の範囲の減縮、誤記の訂正及び明りょうでない記載の釈明を目的として、
『耕耘爪を具備した耕耘カバーの後端に後部カバーを回動自在に枢支し、該
後部カバー
前記遠隔操作レバーの操作によりワイヤーを介して後部カバーの回動を阻止するロック装置を耕耘カバーに配設し、該ロック装置は、「コ」の字形に構成されたロック金具が、ハンガーロッドの枢支軸を兼用して枢支され、ハンガーロッドの上部に回動して固定される構成とし、
　▲２▼．訂正事項ｂ
　明細書の第３頁第８行〜第１４行（特許公報第２頁第３欄第１２行〜第１７行）の『耕耘爪９を具備した耕耘カバー４の後端に後部カバー５を回動自在に枢支し、該耕耘カバー４を弾圧するハンガーロッド６を遠隔操作レバー１の操作により係止して、後部カバー５の回動を阻止可能とし、ロック装置を耕耘カバー４の側に配設し、該耕耘カバー４が耕耘爪軸３１に対して前後に回動可能としたものである。』を、
『耕耘爪９を具備した耕耘カバー４の後端に後部カバー５を回動自在に枢支し、該
後部カバー
前記遠隔操作レバー１の操作によりワイヤーを介して後部カバー５の回動を阻止するロック装置を耕耘カバー４に配設し、該ロック装置は、「コ」の字形に構成されたロック金具２が、ハンガーロッド６の枢支軸３５を兼用して枢支され、ハンガーロッド６の上部に回動して固定される構成とし、
　▲３▼．訂正事項ｃ
　明細書の第９頁第２行〜第５行（特許公報第３頁第５欄第１１行〜第１３行）の『該耕耘カバー４を弾圧するハンガーロッド６を遠隔操作レバー１の操作により係止して、後部カバー５の回動阻止可能としたので』を、
『該
後部カバー
を
　明細書の第９頁第１７行目（特許公報第３頁第５欄第２４行目）の『ロック装置を耕耘カバー４の側に配設』を、
『ロック装置を
耕耘カバー４に配設
（５４）【発明の名称】
ロータリ耕耘装置
（５７）【特許請求の範囲】
　耕耘爪を具備した耕耘カバーの後端に後部カバーを回動自在に枢支し、該後部カバーを弾圧するハンガーロッドを遠隔操作レバーの操作により係止して、後部カバーの回動を阻止可能とし、前記遠隔操作レバーの操作によりワイヤーを介して後部カバーの回動を阻止するロック装置を耕耘カバーに配設し、
該ロック装置は、「コ」の字形に構成されたロック金具が、ハンガーロッドの枢支軸を兼用して枢支され、ハンガーロッドの上部に回動して固定される構成とし、
【発明の詳細な説明】
（イ）産業上の利用分野
　本発明はトラクタに付設するロータリ耕耘装置の後部カバーの回動を固定して、土寄せ作業を可能とする技術に関する。
（ロ）従来技術
　従来からロータリ耕耘装置の後部に、土寄せ作業を行う為にレベラーを配置した技術は公知とされているのである。
　例えば特開昭６０−９８９０４号公報に記載の技術の如くである。
　しかし該従来の技術においては、土寄せ作業を行う為にロータリ耕耘装置の後部カバーやリアカバーを用いることなく、別に支持したレベラーを設けていたのである。
（ハ）発明が解決しようとする問題点
　本発明は、従来のロータリ耕耘装置の部品に大きな変更を加えることなく、後部カバーの部分の回動を不可能に固定して、土寄せ作業を可能とするものである。
　この為に後部カバーの上方への回動を付勢するハンガーロッドの動きを係止するロック機構を設け、該ハンガーロッドの上方への移動を阻止して、後部カバーの下端により土寄せ作業を行うものである。
　また該後部カバーの回動を阻止すべくロックしただけでは、耕耘爪の下端位置よりも後部カバーの下端を下方位置へ突出することが出来ないので、本発明においては後部カバーを枢支した耕耘カバー自体を前後に回動可能とすることにより、後部カバー５の部分の突出幅を大きくして、土寄せ作業を完全に行うことが出来る程度の、突出量を得たものである。
（ニ）問題を解決するための手段
　本発明の解決すべき課題は以上の如くであり、次に該課題を解決する手段を説明する。
　耕耘爪を具備した耕耘カバーの後端に後部カバーを回動自在に枢支し、該後部カバーを弾圧するハンガーロッドを遠隔操作レバーの操作により係止して、後部カバーの回動を阻止可能とし、前記遠隔操作レバーの操作によりワイヤーを介して後部カバーの回動を阻止するロック装置を耕耘カバーに配設し、
該ロック装置は、「コ」の字形に構成されたロック金具が、ハンガーロッドの枢支軸を兼用して枢支され、ハンガーロッドの上部に回動して固定される構成とし、
（ホ）実施例
　本発明の解決すべき課題及び解決する手段は以上の如くであり、次に添付の図面に示した実施例の構成を説明する。
　第１図は本発明のロータリ耕耘装置の全体側面図、第２図はハンガーロッド６のロック機構を示す拡大側面図、第３図はロックを解除した状態の側面図、第４図は同じく後面図である。
　第１図において全体的な構成を説明する。
　トラクタの後部のＰＴＯ軸よりロータリ耕耘装置のギアボックス２９の入力軸３２に動力が伝達される。該ギアボックス２９内で回転方向を変えられ、メインビームにより耕耘ケース３０に動力が伝達され、耕耘爪９を植設した耕耘爪軸３１を回転する。
　該耕耘爪９の回転軌跡の周囲に、耕耘カバー４と後部カバー５と均平板２５の３枚のカバーが連設され配置されている。
　耕耘カバー４は深浅回動モータ８の回転により螺子軸２８が回転し、矢印の如く前後に回動が可能である。
　該前後に回動する耕耘カバー４の後端の枢支軸１０に後部カバー５が枢支されており、更に後部カバー５の後端の枢支軸２０に均平板２５が枢支されている。
　耕耘カバー４の後端上面にセンサーブラケット１７が固定突出されており、該センサーブラケット１７に回動カバーセンサー２７と、耕深センサー２６が固設されており、該回動カバーセンサー２７は深浅回動モータ８の駆動により耕耘カバー４が前後に回動した角度をアーム２７ａにより検出する。また耕深センサー２６は、耕耘カバー４に対する均平板２５の回動角を検出しており、トラクタの油圧昇降装置を上下して、耕深を自動制御する為のセンサーである。
　均平板２５に固設したアーム３９と耕深センサー２６のアーム２６ａとがリンクで連結されており、また回動カバーセンサー２７のアーム２７ａがギアボックス２９との間でリンクにより結合されており、耕耘カバー４が回動すると、ギアボックスが固定であるので、回動カバーセンサー２７が回動して、耕耘カバー４の回動幅を表示すべく構成している。
　該センサーブラケット１７の突出上部に、ハンガーロッド６のスライドパイプ１５が、枢支軸３５により枢支されている。該枢支軸３５はスライドパイプ１５の内部に固着されており、該丸軸である枢支軸３５の部分で角パイプであるスライドパイプ１５の部分の回動を可能としている。
　スライドパイプ１５は角パイプに構成されているので、下方から付勢バネ１２の上端を接当可能としている。
　またスライドパイプ１５からハンガーロッド６が貫通突出した部分に、樹脂座１９・２２を介してスペーサ２１が介装されている。
　該スペーサ２１に、ハンガーロッド６の先端の係止松葉ピン３７が接当することにより、これ以上ハンガーロッド６が抜け落ちたり、後部カバー５や均平板２５が垂れ下がることが無いように構成している。
　本発明のハンガーロッド６のスライド阻止機構は、該枢支軸３５を兼用して枢支したロック金具２により構成している。該ロック金具２は、「コ」の字形に構成されており、この部分がハンガーロッド６の上部に回動して固定されることにより、ハンガーロッド６はそれ以上の上昇スライドを阻止されるのである。
　該ロック金具２は常時は解除しておく必要があり、バネ受けアーム１４と後部カバー５の上面のバネ受け係止片３６との間に付勢バネ３が介装されている。
　そして該付勢バネ３の付勢力に対して、遠隔操作レバー１を回動しワイヤー７を引っ張ることにより、連結具１６を介してロック金具２が回動し、ロック金具２の「コ」形の部分がハンガーロッド６の上方を被覆することにより、ハンガーロッド６の上方へのスライドを阻止するのである。
　耕耘カバー４の後部にスライドパイプ１５を枢支し、またスライドパイプ１５の後部に枢支軸２０を介して均平板２５を枢支しているのであり、後部カバー５に対して均平板２５も枢支軸２０を中心に回動するのである。
　しかし、該均平板２５は大きく回動しないように、ブラケット２４より連結アーム２３を突出し、該連結アーム２３の上部をスライド筒３８に固定しており、該スライド筒３８の嵌合孔内にハンガーロッド６をスライド自在に貫通させているのである。
　そして、該スライド筒３８の上下には、ハンガーロッド６の外周に遊嵌した付勢バネ１２・１３を接当させているので、均平板２５は該付勢バネ１２・１３によりスライド筒３８の位置が規制されており、それ以上は大きく移動しないように構成しているのである。
　しかし、ロック金具２によりハンガーロッド６の上昇をロックした状態で、土寄せ作業をしている時に、障害物が均平板２５に掛かって、均平板２５と後部カバー５が押し上げられた場合には、枢支軸２０の部分で折れて、連結アーム２３がスライド筒３８を突き上げて、付勢バネ１２・１３が撓むのである。
　この付勢バネ１２・１３の撓みにより、障害物による押圧力を緩和することが出来るのである。
（へ）発明の効果
　本発明は以上の如く構成したので、次のような効果を奏するものである。
　第１に、耕耘爪９を具備した耕耘カバー４の後端に後部カバー５を回動自在に枢支し、該後部カバー５を弾圧するハンガーロッド６を遠隔操作レバー１の操作により係止して、後部カバー５の回動を阻止可能としたので、従来からあるロータリ耕耘装置に大きな変更を加えることなく、ロック金具２とワイヤー７と遠隔操作レバー１等を付設するだけで、ロック機構を構成することができ、これによりロータリ耕耘装置による土寄せ作業が可能となったのである。
　第２に、ロック金具２によりハンガーロッド６の上方へのスライドをロックした状態で、土寄せ作業中に、後部カバーや均平板の部分に大きな衝撃力が掛かった場合には、ハンガーロッドの周囲に配置した付勢バネ１２・１３によりこれを吸収することが出来たものである。
　第３に、ロック装置を耕耘カバー４に配設し、該耕耘カバー４が耕耘爪軸３１に対して前後に回動可能としたので、土寄せ作業中に仕上がり土壌面の高さを調節する際に、トラクタの油圧制御装置によるロータリ耕耘装置の耕深制御装置を利用して、ロータリ耕耘装置を上下して調節する必要がなく、ロータリ耕耘そうちそのままの位置で、深浅回動モータ８により耕耘カバー４を前後に回動するだけで、土寄せ作業の仕上がり位置を調節することが出来るのである。
　第４に、耕耘カバー４と後部カバー５を深浅回動モータ８により大きく後方へ回動し、後部カバー５を耕耘爪９の側に引き寄せた状態で、ロック金具２によりロックすれば、耕耘爪９の下端位置よりも後部カバー５と均平板２５の下端を大きく突出することが出来るので、土寄せ作業が容易に出来るようになったのである。
【図面の簡単な説明】
　第１図は本発明のロータリ耕耘装置の全体側面図、第２図はハンガーロッド６のロック機構を示す拡大側面図、第３図はロックを解除した状態の側面図、第４図は同じく後面図である。
　１・・・遠隔操作レバー
　２・・・ロック金具
　４・・・耕耘カバー
　５・・・後部カバー
　６・・・ハンガーロッド
　９・・・耕耘爪
　１２，１３・・・付勢バネ
　１０，２０・・・枢支軸
　２５・・・均平板